(57)【要約】【課題】放射性薬剤と、この放射性薬剤が投与されるべき被投与者との一致を確認し、さらに被投与者に投与すべき放射性薬剤投与量の誤りをなくすことができる放射性薬剤の投与装置を提供する。【解決手段】液状の放射性薬剤２７を収容し、放射性薬剤２７に係る薬剤情報が少なくとも表面に記された遮蔽容器５がセットされるステージ７３と、ステージ７３にセットされた遮蔽容器５から放射性薬剤２７を抽出する抽出針１６を保持する第一針ベース１２と、遮蔽容器５に記された薬剤情報を読取るバーコードリーダー８１と、放射性薬剤が投与される被投与者に関する情報を取得する情報取得部６８と、薬剤情報及び被投与者情報に基づいて、抽出針１６が抽出すべき放射性薬剤の最適抽出量を決定する投与量決定部と、よって放射性薬剤投与装置１を構成する。【選択図】図３
2020054777.tif 000002
【特許請求の範囲】
【請求項１】
液状の放射性薬剤を収容し、前記放射性薬剤に係る薬剤情報が少なくとも表面に記された容器がセットされるステージと、
前記ステージにセットされた前記容器から前記放射性薬剤を抽出する抽出部を保持する保持部と、
前記容器に記された前記薬剤情報を読取る読取部と、
前記放射性薬剤が投与される被投与者に関する被投与者情報を取得する被投与者情報取得部と、
前記薬剤情報及び前記被投与者情報に基づいて、前記抽出部が抽出すべき前記放射性薬剤の最適抽出量を決定する投与量決定部と、
を備える、放射性薬剤投与装置。
【請求項２】
前記最適抽出量を表示するとともに、前記最適抽出量を抽出部に抽出させるか否かの指示を受けつける指示ボタンを表示させる表示部を更に備える、請求項１に記載の放射性薬剤投与装置。
【請求項３】
前記抽出部が抽出した前記放射性薬剤を被投与者に投与する投与部と、
前記投与部が投与した前記放射性薬剤に係る投与情報を出力する出力部と、
を更に備える、請求項１または２に記載の放射性薬剤投与装置。
【請求項４】
前記投与部は、前記最適抽出量の前記放射性薬剤を被投与者に投与する、請求項３に記載の放射性薬剤投与装置。
【請求項５】
前記薬剤情報、または前記薬剤情報から得られる情報の少なくとも一方は、予め設定された設定タイミングにおける前記放射性薬剤の放射能量を含む、請求項１乃至４いずれか一項に記載の放射性薬剤投与装置。
【請求項６】
前記容器の少なくとも前記薬剤情報が記された表面の部分を映す鏡をさらに備え、前記読取部は、前記鏡に映った前記薬剤情報を読取る、請求項１乃至５いずれか一項に記載の放射性薬剤投与装置。
【請求項７】
前記容器の前記薬剤情報が記された部分から前記鏡に向かう光及び前記鏡から前記読取部に向かう光の通路と異なる位置に設けられ、前記ステージに前記容器がセットされた場合に前記容器から放出される放射線を遮蔽する遮蔽壁部をさらに備える、請求項６に記載の放射性薬剤投与装置。
【請求項８】
前記ステージ及び前記保持部が収容される収容部を備え、当該収容部は、開口を有する本体と、前記開口の縁部に回動可能に軸支されて前記開口を開閉する扉部と、を含み、前記ステージは、前記扉部の前記開口に向かう面に設けられ、前記保持部は、前記本体の側にあって前記扉部が前記開口を閉じた場合に前記ステージの上方に位置する、請求項１から７のいずれか一項に記載の放射性薬剤投与装置。
【請求項９】
前記抽出部による前記放射性薬剤の抽出後の前記容器内に残存する前記放射性薬剤に係る液量または放射能量を得る残存量取得部をさらに備える、請求項１乃至請求項８のいずれか一項に記載の放射性薬剤投与装置。
【請求項１０】
前記残存量取得部は、前記抽出部による前記放射性薬剤の抽出前の前記容器内の前記放射性薬剤の液量と前記最適抽出量とによって前記放射性薬剤の残存量を算出する、請求項９に記載の放射性薬剤投与装置。
【請求項１１】
前記残存量取得部は、前記抽出部による前記放射性薬剤の抽出後の前記容器内の前記放射性薬剤の放射能量を計測して前記残存量を得る、請求項１０に記載の放射性薬剤投与装置。
【請求項１２】
前記投与量決定部は、前記残存量取得部によって得られた前記残存量と前記最適抽出量とを比較して、前記残存量が前記最適抽出量を満たすこと、または前記残存量が前記最適抽出量に満たないことを示す信号を出力する、請求項１０または１１に記載の放射性薬剤投与装置。
【請求項１３】
前記被投与者情報取得部は、ネットワークを介して前記被投与者情報を取得する、請求項１から請求項１２のいずれか一項に記載の放射性薬剤投与装置。
【請求項１４】
前記被投与者情報取得部は、前記被投与者情報とともに前記放射性薬剤を用いた検査情報を被投与者ごとに取得し、
前記投与量決定部は、前記読取部が読み取った薬剤情報に含まれる放射性薬剤と、前記検査情報に含まれる薬剤情報とが一致するか否かを判断する、請求項１３に記載の放射性薬剤投与装置。
【発明の詳細な説明】
【技術分野】
【０００１】
本発明は、放射性薬剤を投与する放射性薬剤投与装置に関する。
【背景技術】
【０００２】
放射性薬剤の投与では、放射性薬剤の投与形態が正しいか否かを判定することが重要である。ここで、投与形態とは、放射性薬剤と放射性薬剤が投与される被投与者との組み合わせや、放射性薬剤の投与量等が考えられる。
特許文献１には、薬剤庫から放射性薬剤を出庫する際と、被投与者に放射性薬剤を投与する際の二回に亘って放射性薬剤のバーコードと被投与者のＩＤの照合を行うことが記載されている。このような特許文献１に記載の発明は、放射性薬剤と被投与者の組み合わせの一致を確認するものである。
【先行技術文献】
【特許文献】
【０００３】
【特許文献１】特開２００２−１２３６００号公報
【発明の概要】
【発明が解決しようとする課題】
【０００４】
ところで、放射性薬剤の適正な投与量は、同じ放射性薬剤の製品を用いた場合であっても被投与者の体格等に応じて被投与者毎に相違する。放射性薬剤の投与の現場では、被投与者の体格に応じて投与量を調整し、過剰な放射線被ばくを回避している。
しかしながら、特許文献１に記載の薬剤投与システムは、被投与者に適正な量の放射性薬剤を投与することを目的とするものではない。
本発明は、上記の点に鑑みてなされたものであって、被投与者毎に適正な量の放射性薬剤を簡易に投与することができる放射性薬剤の投与装置に関する。
【課題を解決するための手段】
【０００５】
本発明の放射性薬剤投与装置は、液状の放射性薬剤を収容し、前記放射性薬剤に係る薬剤情報が少なくとも表面に記された容器がセットされるステージと、前記ステージにセットされた前記容器から前記放射性薬剤を抽出する抽出部を保持する保持部と、前記容器に記された前記薬剤情報を読取る読取部と、前記放射性薬剤が投与される被投与者に関する情報を取得する被投与者情報取得部と、前記薬剤情報及び前記被投与者情報に基づいて前記放射性薬剤の最適抽出量を決定する投与量決定部と、を備える。
【発明の効果】
【０００６】
本発明は、被投与者毎に適正な量の放射性薬剤を簡易に投与することができる放射性薬剤投与装置を提供することができる。
【図面の簡単な説明】
【０００７】
【図１】本発明の第一実施形態の放射性薬剤投与装置の正面図である。
【図２】図１に示した放射性薬剤投与装置の右側面図である。
【図３】図１に示した放射性薬剤投与装置の模式的な断面図である。
【図４】図２に示した放射性薬剤投与装置の模式的な断面図である。
【図５】図３及び図４に示した遮蔽容器及びバイアル瓶を説明するための図である。
【図６】第一実施形態の放射性薬剤投与装置における遮蔽容器の収容状態を説明するための斜視図である。
【図７】図１から図４に示した操作部を説明するための図である。
【図８】第一実施形態の放射性薬剤投与装置の投与量を決定する構成を説明するための機能ブロック図である。
【図９】第二実施形態の放射性薬剤投与装置の投与量を決定する構成を説明するための機能ブロック図である。
【発明を実施するための形態】
【０００８】
以下、本発明の第一実施形態、第二実施形態を図面に基づいて説明する。なお、すべての図面において、同様の構成要素には同様の符号を付し、重複する説明は適宜省略する。また、第一実施形態及び第二実施形態の図面は、本発明の放射性薬剤投与装置の構成部材、各構成部材の配置や機能及び位置関係等を例示する図であって、第一実施形態及び第二実施形態の放射性薬剤投与装置の具体的な構成を限定するものではない。
【０００９】
［第一実施形態］
図１から図４は、第一実施形態の放射性薬剤投与装置１の構成を説明するための図である。図１は、放射性薬剤投与装置１を図中に示したｘ，ｙ，ｚ座標のｙ方向に向かって見た正面図である。図２は、図１に示す放射性薬剤投与装置１を−ｘ方向に向かって見た右側面図である。図３は、図１に示した放射性薬剤投与装置１の模式的な断面図であり、図４は、図２に示した放射性薬剤投与装置１の模式的な断面図である。図３及び図４の断面図は、放射性薬剤投与装置１において放射線を遮蔽する遮蔽壁部２１ａ−２１ｄ及び放射性薬剤投与装置１にセットされた遮蔽容器５を断面で示している。
【００１０】
図１から図４に示すように、放射性薬剤投与装置１は、内部に液状の放射性薬剤２７を収容したバイアル瓶７が遮蔽容器５ごとセットされ、放射性薬剤２７を抽出して投与する装置である。放射性薬剤投与装置１は、筐体１０を有している。筐体１０は、放射性薬剤２７を抽出する構成を収容する本体１０ａと、本体の外枠に取り付けられて左右に開放される二つの扉部１０ｂ、１０ｂとを有している。扉部１０ｂには把持部１１が設けられている。放射性薬剤投与装置１の上面には操作部６（図７）が設けられていて、投与者が放射性薬剤２７の投与量を決定するための操作を行う。
放射性薬剤投与装置１には放射性薬剤投与装置１が外部と通信するための外部通信コネクタ６３、電源の投入、停止を切り換える電源スイッチ６４、放射性薬剤投与装置１を緊急停止するための非常停止スイッチ６２が設けられている。
【００１１】
また、放射性薬剤投与装置１には放射性薬剤２７を押し出すための生理食塩水が収容された生食バッグ３と、生食バッグ３を懸架するための懸架部３５と、生食バッグ３と第一輸液チューブ３１ａとを接続する生食バッグ針３３と、第二輸液チューブ３１ｂと接続するチェックバルブ３４とを備えている。
【００１２】
さらに、放射性薬剤投与装置１は、図４に示すように、電子機器を含み、放射性薬剤投与装置１に電力を供給する無停電電源装置（ＵＰＳ）７０ａと、放射性薬剤２７の抽出量及び放射性薬剤の投与のための各構成の駆動を制御する制御部７０ｂと、を有している。制御部７０ｂは、放射性薬剤２７の抽出量を決定するための演算処理を実行する小型のＣＰＵ（Central Processor Unit）、メモリ装置、放射性薬剤投与装置１の内部に設けられているモータやアクチュエータのドライバユニット等を含んでいる。
【００１３】
また、放射性薬剤投与装置１は、液状の放射性薬剤２７を収容したバイアル瓶７を収容し、放射性薬剤２７に係る薬剤情報が少なくとも表面に記された遮蔽容器５がセットされるステージ７３と、ステージ７３にセットされた遮蔽容器５から放射性薬剤２７を抽出する抽出部である抽出針１６を保持する保持部である第一針ベース１２と、遮蔽容器５に記された薬剤情報を読取る読取部であるバーコードリーダー８１と、を備えている。第一針ベース１２に対する抽出針１６の保持強度は、クランプつまみ１２１により調整することが可能である。第一針ベース１２は、副基板９に取り付けられ、モータ１５によって上下動している。図示しない第二針ベースは、遮蔽容器５内のバイアル瓶７（図５）を常圧にするための通気針１３を保持している。
また、放射性薬剤投与装置１は、放射性薬剤２７が投与される被投与者に関する被投与者情報を取得する被投与者情報取得部である情報取得部６８（図８）と、薬剤情報及び被投与者情報に基づいて、抽出針１６が抽出すべき放射性薬剤２７の最適抽出量を決定する投与量決定部６９（図８）と、最適抽出量の放射性薬剤２７を被投与者に投与する投与部であるシリンジ３８、３９、シリンジ駆動部３５ａ、３５ｂと、を備えている。最適抽出量は、放射性薬剤２７の液量で表されるものであってもよいし、放射能量で表されるものであってもよい。
【００１４】
なお、放射性薬剤２７は、液状のものである。放射性薬剤２７の種類は特に限定されないが、放射性薬剤２７としては、例えば、ＰＥＴ（陽電子断層診断法：Ｐｏｓｉｔｒｏｎ  Ｅｍｉｓｓｉｏｎ  Ｔｏｍｏｇｒａｐｈｙ）検査用の短寿命核種を含む放射性薬剤、例えばＦＤＧ（フッ素１８で標識されたグルコース誘導体：［１８Ｆ］−２−ｄｅｏｘｙ−２−ｆｌｕｏｒｏ−Ｄ−ｇｌｕｃｏｓｅ）、［１８Ｆ］フルテメタモル、［１８Ｆ］フロルベタピル、［１８Ｆ］ｆｌｕｃｉｃｌｏｖｉｎｅ、［１８Ｆ］フロロエチルチロシン（ＦＬＴ）、［１８Ｆ］フルオロミソニダゾール、ＦＤＯＰＡ（フッ素１８で標識された製剤：Ｌ−３，４−ｄｉｈｙｄｒｏｘｙ−６−［１８Ｆ］−ｆｌｕｏｒｏｐｈｅｎｙｌａｌａｎｉｎｅ）、ＦＤＡ（６−［１８Ｆ］−ｆｌｕｏｒｏｄｏｐａｍｉｎｅ）、［１８Ｆ］フッ化ナトリウム等がある。また、放射性薬剤２７は、［１１Ｃ］メチオニン、［１１Ｃ］酢酸、［１１Ｃ］コリン誘導体、［１３Ｎ］アンモニア、若しくは９９ｍＴｃ、１２３Ｉ、１３１Ｉ、２０１Ｔｌ、６７Ｇａ、５１Ｃｒ等の放射性同位元素核種からなる治療用または診断用の注射液であってもよい。
放射性薬剤２７の放射能量は、ＲＩ検出器８５によって検出されている。
【００１５】
図５は、遮蔽容器５及びバイアル瓶７を説明するための図であって、遮蔽容器５を開放した状態の斜視図である。
遮蔽容器５は、第一針ベース１２に取り付けられた抽出針１６が挿通されるバイアル瓶７を収容し、ステージ７３に載置される放射線の遮蔽容器である。図５に示すように、遮蔽容器５は、容器本体５６と、容器本体５６のねじ蓋である容器蓋体５１と、を有している。容器本体５６は、バイアル瓶７を収容するための収容部５５と、収容部５５の外周に配置されている壁部である容器側壁部５７と、収容部５５と容器側壁部５７との間に配置される遮蔽部材１０１と、容器側壁部５７の底部と、を有している。なお、バイアル瓶７は、ゴム製の栓７１によって内部が密閉されている。
容器本体５６は、収容部５５を有する略有底円筒状の放射線遮蔽金属（鉛合金、タングステン合金等）製の遮蔽部材１０１にプラスチック製の外装容器を施したものである。
【００１６】
第一実施形態の遮蔽容器５は、薬剤情報が書き込まれた表示体５０を有している。表示体５０に書き込まれる薬剤情報としては、例えば、薬剤の製品名、未使用の状態でバイアル瓶７に収容されている容量、包装単位（放射能量）、検定時刻といった薬剤そのものの情報が考えられる。図５に示す表示体５０は、一次元のバーコードの形式で薬剤情報を記している。このような薬剤情報は、バーコードリーダー８１によって読み取られる。また、薬剤情報は、放射性薬剤２７に関する情報が取得できるサイトのＵＲＬ、放射性薬剤２７の製造番号、若しくは放射性薬剤２７の受注に応じて付与される個別の識別番号等であってもよい。個別の識別番号とは、例えば医療機関での放射性薬剤２７の取り違えを防止するために付与される番号であって、被投与者ごと、検定時刻ごと、若しくは医療機関ごとに付与される番号であってもよく、また、被投与者ごとの検査スケジュールと紐づけられて管理される番号であってもよい。さらに、薬剤情報は、予め設定された設定タイミングにおける放射性薬剤２７の放射能量を含むものであってもよい。設定タイミングとは、例えば、放射性薬剤２７の製造後から所定の時間が経過したタイミングであり、設定タイミングにおける放射能量は、既知の減衰曲線等で表される放射性薬剤２７の特性により予測される値である。
設定タイミングは該放射性薬剤２７の検定時刻でもよい。ここで、検定時刻とは放射性薬剤２７の放射能量を規定するために設定された時刻若しくは日付及び時刻であり、既知の減衰曲線等に従って減衰する放射性薬剤２７の放射能量が所定の放射能量（例えば包装単位で示す放射能量）と等しくなる時刻若しくは日付及び時刻である。
第一実施形態は、表示体５０に全ての薬剤情報を書き込むものであってもよいし、表示体５０に一部の薬剤情報を書き込んで他の一部を投与者が放射性薬剤投与装置１に手動で入力するものであってもよい。
また、表示体５０は、遮蔽容器５に貼り付けられたものであってもよいし、遮蔽容器５の表面に直接印字されたものであってもよい。
【００１７】
このように、薬剤情報から設定タイミング（例えば検定時刻）と放射能量が得られるようにするのは、放射性薬剤２７の放射能は比較的短時間で減衰し、投与時刻によって放射能量が異なるためである。設定タイミングと放射能量が得られれば、放射性薬剤投与装置１において投与時刻から放射性薬剤２７の放射能量を推定し、放射能量の減衰を考慮して放射性薬剤２７の最適抽出量を得ることができる。
【００１８】
第一実施形態では、さらに、放射性薬剤投与装置１が、遮蔽容器５の少なくとも薬剤情報（表示体５０）が記された表面の部分を映す鏡８０をさらに備えている。バーコードリーダー８１は、鏡８０に映った薬剤情報を読取っている。
このような構成は、放射性薬剤２７を収容する遮蔽容器５から放射線が放出されて、この放出線が電子機器であるバーコードリーダー８１の動作に影響を与えることを防ぐため、遮蔽容器５とバーコードリーダー８１との距離を離すことができる。また、鏡８０は、表示体５０とバーコードリーダー８１との間の光の進路を変更することができるので、バーコードリーダー８１のレイアウトの自由度を高めることができる。
【００１９】
また、第一実施形態は、遮蔽容器５の表示体５０が記された部分から鏡８０に向かう光の通路及び鏡８０からバーコードリーダー８１に向かう光の通路と異なる位置に設けられ、ステージ７３に遮蔽容器５がセットされた場合に遮蔽容器５から放出される放射線を遮蔽する遮蔽壁部２１ｃをさらに備えている。つまり、第一実施形態は、遮蔽容器５から放出される放射線の遮蔽効果を有する遮蔽壁部２１ｃを備えている。遮蔽壁部２１ｃは、遮蔽容器５の上方とバーコードリーダー８１との境界とを少なくとも覆っている。第一実施形態は、鏡８０が表示体５０を映すことできなくなることを避けるため、遮蔽壁部２１ｃに光の通路を避けるように、切欠き部２２が形成されている。また、第一実施形態では、遮蔽容器５とバーコードリーダー８１とを遮蔽壁部２１ｃにより隔て、鏡８０からバーコードリーダー８１に向かう光の通路上に遮蔽壁部２１ｃが位置しないように配置されている。
【００２０】
さらに、放射性薬剤投与装置１は、遮蔽壁部２１ｃの他、遮蔽壁部２１ａ、２１ｂ、２１ｄを備えている。遮蔽壁部２１ａは、第二輸液チューブ３１ｂの周囲を覆い、遮蔽壁部２１ｂは、後述する主基板８及び主基板８に取り付けられたシリンジ３８、３９等の周囲を遮蔽する。遮蔽壁部２１ｄは、遮蔽壁部２１ｃと一部が重なって、さらにバーコードリーダー８１の上方に延出している。
【００２１】
第一実施形態では、遮蔽壁部２１ａから遮蔽壁部２１ｃに鉛を用い、遮蔽壁部２１ｄにはアルミニウムを用いている。ただし、遮蔽壁部はこのような材料に限定されず、金、イリジウム、タリウム、鉛、ビスマス及びタングステン等の金属であってもよいし、遮蔽すべき放射線によってはコンクリート壁や水を収容した壁であってもよい。
【００２２】
また、放射性薬剤投与装置１は、図３に示すように、主基板８に２つのシリンジ駆動部３５ａ、３５ｂを備えている。シリンジ駆動部３５ａ、３５ｂは、図示しないモータまたはシリンダ等のアクチュエータを駆動源として上下動可能となっている。
シリンジ駆動部３５ａ、３５ｂによってそれぞれ駆動される二つのシリンジ３８、３９のうち、シリンジ３８は、放射性薬剤２７を貯留するためのシリンジである。シリンジ３９は、生理食塩水を貯留するためのシリンジである。シリンジ３８、３９は、放射性薬剤２７または生理食塩水を貯留するシリンジ本体３６と、シリンジ本体３６と連結されていて、このシリンジ本体３６に対して押し込み可能なプランジャ部３７と、を備えて構成されている。
主基板８の前面側には、三つの流路切換機構１４と、各流路切換機構１４を保持する流路切換機構保持部１４０が設けられている。流路切換機構保持部１４０は、図示しないモータ等のアクチュエータにより回転駆動可能となっている。
第二輸液チューブ３１ｂ上には、エアベンテッドフィルタ３２が設けられている。
【００２３】
図６は、放射性薬剤投与装置１における遮蔽容器５の収容状態を説明するための斜視図である。図６に示すように、第一実施形態では、遮蔽容器５を、筐体１０の扉部１０ｂの内側に配置し、扉部１０ｂを閉じた場合に遮蔽容器５が放射性薬剤２７を抽出可能な位置にセットされるようにしている。
より詳細には、放射性薬剤投与装置１の本体１０ａは、ステージ７３及び第一針ベース１２が収容される収容部を備えている。この収容部は、開口を有する本体１０ａと、開口１１１の縁部１１１ａに回動可能に軸支されて開口１１１を開閉する扉部１０ｂと、を含んでいる。第一実施形態では、ステージ７３を扉部１０ｂの開口１１１に向かう面に設け、第一針ベース１２を本体の側に設けている。そして、扉部１０ｂが開口１１１を閉じた場合に第一針ベース１２がステージ７３の上方に位置するように構成している。
このようにすれば、第一実施形態は、遮蔽容器５の設置スペースを省スペース化し、筐体１０をコンパクト化することができる。
【００２４】
図７は、操作部６を説明するための図である。操作部６は、投与者が放射性薬剤投与装置１に対して処理の指示等を入力し、その結果を得るための構成である。図７に示した操作部６は、投与者が放射性薬剤投与装置１に対して指示を入力するためのモード選択キー６６や、指示により行われた処理の結果等を表示するディスプレイ画面６５を備えている。モード選択キー６６は、放射性薬剤２７の種類等に応じた投与モードを、「ｍｏｄｅＡ」を指定する指定キー６６ａ、「ｍｏｄｅＢ」を指定する指定キー６６ｂ及び「ｍｏｄｅＣ」を指定する指定キー６６ｃの中から選択するためのキーである。テンキー６７、モード選択キー６６及びディスプレイ画面６５は、パネル６１上に形成されて一体化している。
投与者は、このような操作部６から投与モードを選択し、被投与者を特定可能な氏名やＩＤ情報、さらには投与に必要な被投与者の身長、体重、年齢、性別等の情報をテンキー６７により入力することができる。なお、第一実施形態は、被投与者に関する情報を投与者が入力することに限定されず、操作部６に入力された被投与者のＩＤ情報等に紐づいた施設内の電子カルテが読み込まれて被投与者に関する詳細な情報が取得されるものであってもよい。なお、被投与者のＩＤ情報等に紐づいた施設内の電子カルテを読み込む場合は、外部通信コネクタ６３を介して通信を行って読み込んでもよい。
【００２５】
図８は、放射性薬剤投与装置１の投与量を決定する構成を説明するための機能ブロック図である。図８は、図３に示した制御部７０ｂの機能のうち、投与量の制御に関する機能を模式的に示している。
図８に示したように、制御部７０ｂは、情報取得部６８と、投与量決定部６９と、を有している。情報取得部６８は、被投与者に関する被投与者情報を示す被投与者信号Ｓｓと、放射性薬剤２７に関する薬剤情報を示す薬剤信号Ｓｐとを取得する。被投与者信号Ｓｓは、操作部６に入力された情報を示すものであってもよいし、操作部６に入力された情報に紐づいて電子カルテのデータベースから読み出された情報を示す信号であってもよい。薬剤信号Ｓｐは、表示体５０に書き込まれている情報を示す信号であってもよいし、表示体５０に書き込まれている情報に紐づいて読み出された情報を示す信号であってもよい。
【００２６】
情報取得部６８は、被投与者信号Ｓｓ及び薬剤信号Ｓｐを取得して、最適抽出量の算出に必要な情報を投与量決定部６９に出力する。投与量決定部６９は、被投与者信号Ｓｓと薬剤信号Ｓｐから放射性薬剤投与装置１にセットされている放射性薬剤２７が被投与者に適正な薬剤であるか否かを確認した後、被投与者の身長、体重、性別及び検査内容等に応じて被投与者に適正な放射性薬剤２７の最適抽出量を算出する。続いて、投与量決定部６９は、設定タイミングと、現時点との時間差に基づいて放射性薬剤２７の現時点での放射能量を推定する。このような推定は、放射性薬剤２７の既知の減衰のデータに基づいて行われる。減衰のデータは、投与量決定部６９が有しているものであってもよいし、表示体５０が示す薬剤情報に含まれているものであってもよい。投与量決定部６９は、算出された最適抽出量を放射性薬剤２７の現時点での放射能量で補正し、補正後の最適抽出量を最終的な投与量に決定する。
【００２７】
投与量決定部６９によって算出された最適抽出量は、ディスプレイ画面６５に表示される。また、ディスプレイ画面６５は、最適抽出量を抽出部に抽出させるか否かの指示を受けつける指示ボタン（ＯＫボタン）を表示させる。つまり、ディスプレイ画面６５は、最適抽出量を抽出、投与することの確認を求めるＯＫボタン、投与をキャンセルするキャンセルボタンを表示させることができる。医療従事者からＯＫボタンが押下された場合、投与量決定部６９は、最適抽出量を抽出部に抽出させる指示を受けつけて、決定した最適抽出量の分だけ放射性薬剤２７が抽出される駆動量を示す制御信号Ｓｃを、制御部７０ｂに出力する。制御部７０ｂは、制御信号Ｓｃにしたがって第一針ベース１２のモータ１５を駆動する。このような処理により、投与量決定部６９によって決定された最適抽出量の放射性薬剤２７が第一針ベース１２に保持された抽出針１６により抽出されて、投与部であるシリンジ３８、３９から被投与者に投与される。
【００２８】
シリンジ３８、３９が投与した放射性薬剤２７に係る投与情報は、投与後に図１から図４に示したプリンタ４０により出力される。ここでいう投与情報は、投与時刻、最適抽出嶐及び投与量等を含んでいて、プリンタ４０は、このような投与情報を印字出力することができる。
また、投与情報の出力は前述のようにプリンタ４０によって行ってもよいし、外部通信コネクタ６３を介して被投与者のＩＤ情報等と紐づいた電子カルテに対して行ってもよい。電子カルテに対して投与情報を出力する場合は、外部通信コネクタ６３を介した通信によって電子カルテ内のＩＤ情報等と紐づいた情報を、投与情報を含む情報に直接上書きするように出力してもよいし、電子カルテの入力を行う作業者に対して被投与者のＩＤ情報と紐づいた情報に投与情報を入力するように指示するアラートを出力するものであってもよい。
【００２９】
以上説明したように、第一実施形態の放射性薬剤投与装置１は、遮蔽容器５をステージにセットした時点で放射性薬剤２７に関する情報が読み込まれ、被投与者の情報と照合することができる。また、第一実施形態の放射性薬剤投与装置１は、被投与者の情報と放射性薬剤２７の情報とにより被投与者の体格に合わせた最適抽出量を算出し、算出された最適抽出量分の放射性薬剤２７を被投与者に投与することができる。
また、第一実施形態は、放射性薬剤投与装置１に遮蔽容器５をセットするだけで自動的に放射性薬剤２７と被投与者の照合、最適抽出量の決定及び投与までの処理をすることができる。このような第一実施形態は、被投与者毎に適正な量の放射性薬剤２７を簡易に投与することができるものと言える。
【００３０】
なお、本発明は、上記構成に限定されるものではない。例えば、第一実施形態は、図５において表示体５０として一次元バーコードを用いたが、第一実施形態は、表示体５０に一次元バーコードを用いることに限定されるものではない。例えば、第一実施形態は、表示体５０として二次元のコードを用い、これを読取るものであってもよい。薬剤情報を二次元のコードで表せば、数字以外の文字情報を書き込むことができる。このようにすれば、薬剤情報として放射性薬剤２７に関する情報を取得可能なサイトのＵＲＬ等を用いることができる。設定タイミング及び設定タイミングにおける放射能量の情報等は、薬剤情報（ＵＲＬ）から得られるものであってもよい。
また、第一実施形態は、遮蔽容器５に薬剤情報を文字（数字を含む）によって書き込んでおき、これを光学文字認識するものであってもよい。さらに、第一実施形態は、図画等により遮蔽容器５に薬剤情報を書き込んで、これをパターンマッチングすることによって読み取ってもよい。このような構成を実現するため、第一実施形態の放射性薬剤投与装置１は、バーコードリーダー８１に、二次元バーコード等を画像として読み取る機能を備えるものを用いてもよい。このようなバーコードリーダー８１によれば、二次元バーコードを撮影し、制御部７０ｂに読み込むことが可能になる。
さらに、第一実施形態は、表示体５０を一つだけ備えるものに限定されず、複数備えるものであってもよい。複数の表示体５０は同一の様式で薬剤情報を示すものであってもよいし、その少なくとも一部が異なる様式で薬剤情報を示し、これをそれぞれ異なる読取部によって読み取るものであってもよい。
【００３１】
［変形例］
次に、以上説明した第一実施形態の変形例を説明する。第一実施形態では、情報取得部６８が取得する被投与者に関する情報が操作部６に入力される例や、外部通信コネクタ６３を介して電子カルテを読み込む例を挙げて説明した。ただし、本発明はこのような構成に限定されるものではなく、ネットワークを介して被投与者に関する被投与者情報を取得するものであってもよい。
ネットワークを介して取得する被投与者情報は、上述したように、被投与者の氏名やＩＤ情報、身長、体重、年齢、性別等の他、被投与者ごとの核医学検査のスケジュール情報（以下、単に「スケジュール情報」とも記す）を含むものであってもよい。スケジュール情報には、核医学検査の種類や検査開始予定時刻が含まれている。変形例の放射性薬剤投与装置１は、核医学検査の種類に対応する放射性薬剤（以下、「検査放射性薬剤」とも記す）の種類や投与から検査開始までの時間を放射性薬剤投与装置１に予め記憶させておくようにしてもよい。このような構成により、変形例では、情報取得部６８が取得したスケジュール情報から、検査放射性薬剤の種類を特定したり、検査開始予定時刻から投与すべき時刻を逆算したりすることが可能となる。これにより、投与量決定部６９は、バーコードリーダー８１を介して取得した放射性薬剤の種類と、ネットワークを介して取得した被投与者情報に含まれるスケジュール情報が示す核医学検査の種類とを照合し、放射性薬剤の種類が核医学検査に使用される検査放射性薬剤の種類と一致するか否かを判断することができる。また、投与量決定部６９は、投与すべき時刻とネットワークを介して取得したスケジュール情報が示す検査開始予定時刻とが乖離していないか否かを判断することができる。
このような変形例は、読取られた薬剤情報に含まれる放射性薬剤と、スケジュール情報に核医学検査の種類を介して間接的に含まれる検査放射性薬剤の情報とが一致するか否かを、判断するものである。
【００３２】
また、放射性薬剤投与装置１は、外部通信コネクタ６３を通じて若しくは図示しない通信機器を通じてネットワーク通信することができ、例えば病院情報システム（Hospital Information Systems, HIS）や、放射線科情報システム（Radiology Information Systems, RIS）にアクセスすることができる。例えば、ＨＩＳからは被投与者ＩＤに紐づいた処方箋の情報等を取得でき、ＲＩＳからは検査に使用する検査放射性薬剤の名称、投与量、検査開始予定時刻、検査で使用する機器の予約情報等を取得できる。このような変形例の放射性薬剤投与装置１は、スケジュール情報が示す核医学検査で使用される検査放射性薬剤に関する名称等の情報をＨＩＳやＲＩＳから取得することができる。
【００３３】
変形例における動作は、例えば、以下のとおりである。
まず、第一実施形態で説明したように、ステージ７３に遮蔽容器５をセットすると、バーコードリーダー８１が遮蔽容器５に記された表示体５０の薬剤情報を読み取る。
次いで、情報取得部６８は、ネットワークを介してスケジュール情報を含む被投与者に関する情報を取得する。
情報取得部６８が取得した被投与者に関する情報は、被投与者信号Ｓｓとして投与量決定部６９に出力される。このとき、情報取得部６８は、スケジュール情報から、投与すべき放射性薬剤の種類や投与予定時刻を特定してもよい。次いで、投与量決定部６９は、被投与者信号Ｓｓに含まれるスケジュール情報の情報から核医学検査の種類を検出し、核医学検査に対応する検査放射性薬剤の種類と、薬剤信号Ｓｐに含まれる放射性薬剤の種類とが一致するか否かを判断する。
【００３４】
また、投与量決定部６９が備える時計（図示しない）に示す現在時刻と、被投与者信号Ｓｓに含まれる投与予定時刻とに乖離がないか否かを判断する。なお、現在時刻と投与予定時刻との乖離は、あらかじめ設定された判断基準に基づき判断することができ、例えば、±３０分以上を乖離と判断するといった設定が可能である。
【００３５】
次に、投与量決定部６９は、被投与者信号Ｓｓに含まれる放射性薬剤の種類と、薬剤信号Ｓｐに含まれる放射性薬剤の種類とが一致すると判断した場合、あるいは、現在時刻と、被投与者信号Ｓｓに含まれる投与予定時刻とに乖離がないと判断した場合、投与量決定部６９は投与可能と判断し、第一の実施形態で説明した動作によって最適な抽出量を算出する。最適な抽出量としては放射性薬剤２７の液量であってもよいし、薬剤信号Ｓｐから取得された設定タイミングにおける放射能量に基づくその被投与者の投与予定時刻に必要な放射能量であってもよい。
投与量決定部６９の決定に従い、抽出針１６が、ステージ７３にセットされた遮蔽容器５から放射性薬剤を抽出する。
投与量決定部６９は、現在時刻と、被投与者信号Ｓｓに含まれる投与予定時刻とに乖離があると判断した場合は、その旨を示す信号を出力する。信号の出力先は、ディスプレイ画面６５を制御するドライバであってもよいし、他の図示しない警報機器であってもよい。信号をディスプレイ画面６５のドライバに出力すると、ディスプレイ画面６５に例えば「投与予定時刻と現在時刻が乖離しています。検査スケジュールを確認してください」等のメッセージを表示することができる。
【００３６】
このような変形例によれば、投与される放射性薬剤や投与予定時刻の適合性を被投与者ごとに判断することができるため、放射性薬剤の投与の信頼性を高めることができるとともに、被投与者ごとの検査スケジュール情報の適正化が実現できる。
ただし、変形例は、スケジュール情報が検査放射性薬剤の情報を間接的に含むものに限定されず、直接的に含むものであってもよい。変形例は、例えば、検査放射性薬剤に関する情報を核医学検査の種類と共にスケジュール情報に含めることにより、スケジュール情報が検査放射性薬剤の情報を直接含むようにすることができる。このような構成によれば、投与量決定部６９は、スケジュール情報に含まれる検査放射性薬剤の名称等と、薬剤信号Ｓｐに含まれる放射性薬剤の名称等との一致を判断することができる。
【００３７】
［第二実施形態］
次に、本発明の第二実施形態について説明する。第一実施形態が一つのバイアル瓶７に一人の被投与者に投与される分量の放射性薬剤２７が収容されることを前提にしているのに対し、第二実施形態は、一つのバイアル瓶７に複数人分の放射性薬剤２７が収容されている場合に適用されるものである。なお、第二実施形態の放射性薬剤投与装置は、第一実施形態と同様の装置構成を有し、制御部の構成が相違している。このため、第二実施形態の放射性薬剤投与装置の外観の図示及び説明を省くものとする。
【００３８】
図９は、第二実施形態の放射性薬剤投与装置１の制御部９０を説明するための機能ブロック図である。第二実施形態の制御部９０は、情報取得部６８及び投与量決定部６９に加えて、残存量取得部１００を備えている。残存量取得部１００は、抽出部である抽出針１６による放射性薬剤の抽出後の容器内に残存する放射性薬剤に係る液量または放射能量である残存量を得る構成である。このような残存量取得部１００は、制御部９０が備える小型のＣＰＵやメモリ装置と、ＣＰＵ上で動作する専用のプログラムの機能により実現する。なお、第二実施形態でいう残存量は、残存量を液量で測る場合にはバイアル瓶７内に残存する放射性薬剤２７の量をいい、抽出針１６内に残存する放射性薬剤２７の量を含まない。また、放射性薬剤２７を放射能量で測る場合、残存量はバイアル瓶７内に残存する放射性薬剤２７の量と抽出針１６内に残存する量とを含んでいる。
【００３９】
バイアル瓶７の残量を取得することは、抽出の前後で放射性薬剤２７が実際に抽出された量を算出することができる。このような処理によれば、放射性薬剤２７が適正な量抽出できたか否かを判定し、適正量抽出できたことが確認された後に放射性薬剤２７を被投与者に投与して、放射性薬剤の投与の信頼性を高めることができる。また、一つのバイアル瓶７に複数人分の放射性薬剤２７が収容されている場合、バイアル瓶７の残量を取得することは、バイアル瓶７の残量が一人若しくは複数人の被投与者への投与に最適な最適抽出量分あるか否かを判定することができ、一つのバイアル瓶７に収容された複数人分の放射性薬剤２７を一人若しくは複数人の被投与者に対して連続的に分割投与することを可能とする。
【００４０】
残存量取得部１００は、残存量を放射性薬剤２７の液量として算出するものであってもよいし、または放射能量により取得するものであってもよい。残存量を液量として算出する場合、残存量取得部１００は、抽出針１６による放射性薬剤２７の抽出前の容器内の放射性薬剤の量と液量として表される最適抽出量とによって残存量を算出することができる。より詳細には、例えば、残存量取得部１００は、情報取得部６８に入力された薬剤信号Ｓｐから薬剤情報に含まれている未使用時の容量及び設定タイミングを取得する。また、残存量取得部１００は、投与量決定部６９から今回決定された最適抽出量を取得し、未使用時の容量から最適抽出量を減算し、減算値を残存量とする。第二実施形態では、残存量取得部１００が残存量を投与量決定部６９に出力し、投与量決定部６９が放射性薬剤２７（バイアル瓶７）の製造番号や識別番号に紐付けて残存量を記録するものであってもよい。投与量決定部６９は、バイアル瓶７から放射性薬剤２７の抽出が行われる度にこのような処理を繰り返し行うことにより、分割投与に必要な残存量の算出を繰り返し行っている。
【００４１】
このような構成によれば、投与量決定部６９は、薬剤信号Ｓｐに含まれる製造番号等により抽出の対象となる放射性薬剤２７（バイアル瓶７）を識別し、このバイアル瓶７に残存する放射性薬剤２７の残存量を投与動作の都度特定することができる。一つのバイアル瓶７から放射性薬剤２７を二回以上抽出する場合、投与量決定部６９は、残存量の履歴のうち、最新の残存量を取得する。
【００４２】
また、薬剤信号Ｓｐが放射性薬剤投与装置１の外部のデータベース等から送信されるものである場合、残存量取得部１００は、例えば、情報取得部６８に残存量を出力するようにしてもよい。このとき、情報取得部６８は、薬剤信号Ｓｐの送信元に残存量を送信し、送信元のサーバがバイアル瓶７内の放射性薬剤２７の量を最新の残存量で上書きするようにしてもよい。このような構成によれば、データベースから送信される薬剤信号Ｓｐに含まれるバイアル瓶７内の放射性薬剤２７の量を常に現在バイアル瓶７内に残存している量とすることができる。
さらに抽出を行う場合、残存量取得部１００は、情報取得部６８から薬剤信号Ｓｐを取得し、薬剤信号Ｓｐに含まれる残存量から投与量決定部６９が決定した最適抽出量を減算する。そして、減算値を最新の残存量として情報取得部６８に出力する。
【００４３】
また、第二実施形態は、残存量取得部１００が、抽出針１６による放射性薬剤２７の抽出後、バイアル瓶７内の放射性薬剤２７の放射能量を計測して残存量（残存放射能量）を得るものであってもよい。このような場合、第二実施形態では、ＲＩ検出器８５が計測した放射能量をＲＩ信号Ｓｒとして残存量取得部１００に送出するように構成する。残存量取得部１００は、情報取得部６８に入力された薬剤情報に含まれる未使用時の放射能量及び設定タイミング等の薬剤信号Ｓｐ、及びＲＩ信号Ｓｒを受信し、薬剤信号ＳｐとＲＩ信号Ｓｒから現在バイアル瓶７に収容されている放射性薬剤２７の放射能量を取得する。
【００４４】
投与量決定部６９は、情報取得部６８に入力された被投与者信号Ｓｓから被投与者の身長、体重、年齢、性別等を入力する。そして、入力された情報から、被投与者に最適な抽出量を放射能量として算出する。
また、投与量決定部６９は、情報取得部６８に入力された薬剤信号Ｓｐから設定タイミングにおける放射能量を入力する。なお、薬剤信号Ｓｐに含まれる放射能量は、未使用の際の値である。投与量決定部６９は、投与時刻から放射能量の減衰を考慮して先に算出した抽出量を補正して最適抽出量を算出する。投与量決定部６９は、抽出針１６が最適抽出量分の放射性薬剤２７を抽出することに必要な回転量を示す制御信号Ｓｃをモータ１５に出力する。
【００４５】
続いて、第二実施形態の動作の一例について、以下に説明する。
第一実施形態で説明した動作に従い、投与量決定部６９により最適投与量が決定され、投与者からＯＫボタンが押下されると、モータ１５は受信した制御信号Ｓｃに応じて回転して放射性薬剤２７を抽出する。このとき、抽出針１６は、図３に示すようにバイアル瓶７に刺入され、かつ、放射性薬剤２７の液面より下に下降している。そして、図示しない制御部は流路切換機構１４を回転させて、シリンジ３８と抽出針１６とを連通させ、抽出した放射性薬剤２７をシリンジ３８に貯留する。次いで、制御部によって抽出針１６をバイアル瓶７内で、かつ放射性薬剤２７の液面から離れた位置まで上昇させ、さらに所定の回転量の分だけモータ１５を回転させて空気を吸引し、流路に残存した放射性薬剤２７をシリンジ３８に貯留する。
その後、制御部は流路切換機構１４を回転させて、第一輸液チューブ３１ａとシリンジ３８とを連通させ、シリンジ駆動機構３５ｂに接続された図示しないモータを回転させることで、シリンジ駆動機構３５ｂを駆動し、シリンジ３８に貯留された放射性薬剤２７を第一輸液チューブ３１ａに送出し、エアベンテッドフィルタ３２を経由して被投与者に投与される。
【００４６】
放射性薬剤２７の抽出後、残存量取得部１００は、ＲＩ検出器８５から遮蔽容器５上方に漏洩した放射能量を示すＲＩ信号Ｓｒを入力する。そして、入力されたＲＩ信号Ｓｒからバイアル瓶７内に残存する放射性薬剤２７の放射能量を投与量決定部６９に出力する。投与量決定部６９は、放射性薬剤２７の製造番号等と紐付けて残存放射能量を保存する。
また、残存量取得部１００は、ＲＩ信号Ｓｒを、放射性薬剤２７の抽出動作と独立に一定の間隔で受信し、ＲＩ信号Ｓｒが示す放射能量を投与量決定部６９に一定の比較的短い時間間隔で出力するようにしてもよい。このようにすると、投与量決定部６９は、最新の残存放射能量を取得することができる。
さらに、薬剤信号Ｓｐが放射性薬剤投与装置１の外部のデータベース等から送信されるものである場合、残存量取得部１００は、残存放射能量をＲＩ信号Ｓｒの受信時刻と共に情報取得部６８に出力するようにしてもよい。情報取得部６８は、薬剤信号Ｓｐの送信元に残存放射能量及び受信時刻を送信し、送信元のサーバがバイアル瓶７内の放射性薬剤２７の量を残存放射能量で上書きすると共に受信時刻を記録するようにしてもよい。そして、制御部によってモータ１５を回転させ、放射性薬剤２７の液面より下まで抽出針１６を下降させることで、次の投与に備える。
【００４７】
二回目以降の投与では、投与量決定部６９が、残存量取得部１００によって得られた残存量と最適抽出量とを比較する。そして、残存量が最適抽出量を満たす場合、最適抽出量を抽出可能であることを示す信号を出力する。また、残存量が最適抽出量に満たない場合、残存量が不足していることを示す信号を出力する。これらの信号の出力先は、ディスプレイ画面６５を制御するドライバであってもよいし、他の図示しない警報機器であってもよい。信号をディスプレイ画面６５のドライバに出力すると、ディスプレイ画面６５に例えば「放射性薬剤の投与が可能です」若しくは「放射性薬剤の量が不足しています」等のメッセージを表示することができる。
そして、医療従事者からＯＫボタンが押下されると、抽出針１６が放射性薬剤２７を抽出し、上記の動作が繰り返される。
【００４８】
また、第二実施形態は、一つのバイアル瓶７に収容されている放射性薬剤２７を分割して投与する場合、上記のように、投与量決定部６９が投与の都度最適投与量を決定するものに限定されるものではない。例えば、第二実施形態は、医療従事者が複数人の被投与者の投与に係る情報を、医療従事者が操作部６を通じて投与量決定部６９に入力したり、外部通信コネクタ６３を介して、電子カルテ、ＨＩＳ若しくはＲＩＳから取得したりする。このような場合、投与量決定部６９は、複数人分の最適投与量の合計と、バイアル瓶７の容量または残存量取得部１００によって得られた残存量とを比較する。そして、投与量決定部６９は、容量または残存量が最適投与量の合計に満たない場合、このことを示す信号を例えばディスプレイ画面６５を制御するドライバ等に出力するようにしてもよい。
このような構成によれば、第二実施形態の放射性薬剤投与装置１は、投与に先立って予め複数人の被投与者に対する分割投与が可能であるか、または他のバイアル瓶７を用意する必要があるかを医療従事者に知らせることができる。
【００４９】
また、第二実施形態では、バイアル瓶７内で抽出針１６が放射性薬剤２７の液面に対して上下動することで、流路に残存する放射性薬剤２７を含めて投与する形態を説明したが、第二実施形態はこれに限定されるものではなく、予め流路のデッドボリュームに相当する分だけ最適抽出量より多く抽出するようにシリンジ駆動部３５の駆動量を設定することもできる。この場合は、抽出針１６は複数回の投与動作の間、バイアル瓶７の底面付近に静止した状態を維持しており、針の上下動によるバイアル瓶７のゴム栓の摩耗による影響を低減することができる。
【００５０】
第二実施形態によれば、複数回の抽出が連続して行われており、この間に抽出針１６がバイアル瓶7等の容器から外部に出ることない。このため、連続して使用する放射性薬剤２７に不純物が混入する、あるいは汚染されることがなく、被投与者ごとの最適抽出量を正確に抽出することが可能になる。
【００５１】
なお、第二実施形態は、ＲＩ検出器８５により放射性薬剤２７の残存量を放射能量として得ることに限定されるものではない。例えば、第二実施形態では、液量と同様に、前回の残存放射能量から最適抽出量を減算することによって最新の残存放射能量を得ることもできる。
【００５２】
上記実施形態は、以下の技術思想を包含するものである。
（１）液状の放射性薬剤を収容し、前記放射性薬剤に係る薬剤情報が少なくとも表面に記された容器がセットされるステージと、前記ステージにセットされた前記容器から前記放射性薬剤を抽出する抽出部を保持する保持部と、前記容器に記された前記薬剤情報を読取る読取部と、前記放射性薬剤が投与される被投与者に関する被投与者情報を取得する被投与者情報取得部と、前記薬剤情報及び前記被投与者情報に基づいて、前記抽出部が抽出すべき前記放射性薬剤の最適抽出量を決定する投与量決定部と、を備える、放射性薬剤投与装置。
（２）前記最適抽出量を表示するとともに、前記最適抽出量を抽出部に抽出させるか否かの指示を受けつける指示ボタンを表示させる表示部を更に備える、（１）の放射性薬剤投与装置。
（３）前記抽出部が抽出した前記放射性薬剤を被投与者に投与する投与部と、前記投与部が投与した前記放射性薬剤に係る投与情報を出力する出力部と、を更に備える、（１）または（２）の放射性薬剤投与装置。
（４）前記投与部は、前記最適抽出量の前記放射性薬剤を被投与者に投与する、（３）の放射性薬剤投与装置。
（５）前記薬剤情報、または前記薬剤情報から得られる情報の少なくとも一方は、予め設定された設定タイミングにおける前記放射性薬剤の放射能量を含む、（１）乃至（４）のいずれか一つの放射性薬剤投与装置。
（６）前記容器の少なくとも前記薬剤情報が記された表面の部分を映す鏡をさらに備え、前記読取部は、前記鏡に映った前記薬剤情報を読取る、（１）乃至（５）のいずれか一つの放射性薬剤投与装置。
（７）前記容器の前記薬剤情報が記された部分から前記鏡に向かう光及び前記鏡から前記読取部に向かう光の通路と異なる位置に設けられ、前記ステージに前記容器がセットされた場合に前記容器から放出される放射線を遮蔽する遮蔽壁部をさらに備える、（６）の放射性薬剤投与装置。
（８）前記ステージ及び前記保持部が収容される収容部を備え、当該収容部は、開口を有する本体と、前記開口の縁部に回動可能に軸支されて前記開口を開閉する扉部と、を含み、前記ステージは、前記扉部の前記開口に向かう面に設けられ、前記保持部は、前記本体の側にあって前記扉部が前記開口を閉じた場合に前記ステージの上方に位置する、（１）から（７）のいずれか一つの放射性薬剤投与装置。
（９）前記抽出部による前記放射性薬剤の抽出後の前記容器内に残存する前記放射性薬剤に係る液量または放射能量を得る残存量取得部をさらに備える、（１）乃至（８）のいずれか一つの放射性薬剤投与装置。
（１０）前記残存量取得部は、前記抽出部による前記放射性薬剤の抽出前の前記容器内の前記放射性薬剤の液量と前記最適抽出量とによって前記残存量を算出する、（９）の放射性薬剤投与装置。
（１１）前記残存量取得部は、前記抽出部による前記放射性薬剤の抽出後の前記容器内の前記放射性薬剤の放射能量を計測して前記残存量を得る、（９）の放射性薬剤投与装置。
（１２）前記投与量決定部は、前記残存量取得部によって得られた前記残存量と前記最適抽出量とを比較して、前記残存量が前記最適抽出量を満たすこと、または前記残存量が前記最適抽出量に満たないことを示す信号を出力する、（９）または（１１）の放射性薬剤投与装置。
（１３）前記被投与者情報取得部は、ネットワークを介して前記被投与者情報を取得する、（１）から（１２）のいずれか一つの放射性薬剤投与装置。
（１４）前記被投与者情報取得部は、前記被投与者情報とともに前記放射性薬剤を用いた検査情報を被投与者ごとに取得し、前記投与量決定部は、読取部が読み取った薬剤情報に含まれる放射性薬剤と、前記検査情報に含まれる薬剤情報とが一致するか否かを判断する、（１３）の放射性薬剤投与装置。
【符号の説明】
【００５３】
１・・・放射性薬剤投与装置
３・・・生食バッグ
５・・・遮蔽容器
６・・・操作部
７・・・バイアル瓶
８・・・主基板
９・・・副基板
１０・・・筐体
１０ａ・・・本体
１０ｂ・・・扉部
１１・・・把持部
１２・・・第一針ベース
１４・・・流路切換機構
１５・・・モータ
１６・・・抽出針
２１ａ、２１ｂ、２１ｃ、２１ｄ・・・遮蔽壁部
２２・・・切欠き部
２７・・・放射性薬剤
３１ａ・・・第一輸液チューブ
３１ｂ・・・第二輸液チューブ
３３・・・生食バッグ針
３４・・・チェックバルブ
３２・・・エアベンテッドフィルタ
３５・・・懸架部
３５ａ、３５ｂ・・・シリンジ駆動部
３６・・・シリンジ本体
３７・・・プランジャ部
３８、３９・・・シリンジ
４０・・・プリンタ
５０・・・表示体
５１・・・容器蓋体
５５・・・収容部
５６・・・容器本体
５７・・・容器側壁部
６１・・・パネル
６２・・・非常停止スイッチ
６３・・・外部通信コネクタ
６４・・・電源スイッチ
６５・・・ディスプレイ画面
６６・・・モード選択キー
６６ａ、６６ｂ、６６ｃ・・・指定キー
６７・・・テンキー
６８・・・情報取得部
６９・・・投与量決定部
７０ａ・・・無停電電源装置
７０ｂ，９０・・・制御部
７１・・・栓
７３・・・ステージ
７５・・・カメラ
８０・・・鏡
８１・・・バーコードリーダー
８５・・・ＲＩ検出器
１００・・・残存量取得部
１０１・・・遮蔽部材
１１１・・・開口
１１１ａ・・・縁部
１２１・・・針クランプつまみ
１４０・・・流路切換機構保持部
【図１】
2020054777.tif 000003
【図２】
2020054777.tif 000004
【図３】
2020054777.tif 000005
【図４】
2020054777.tif 000006
【図５】
2020054777.tif 000007
【図６】
2020054777.tif 000008
【図７】
2020054777.tif 000009
【図８】
2020054777.tif 000010
【図９】
2020054777.tif 000011